(57)【要約】ＡＰと複数のＳＴＡが接続され、ＡＰから複数のＳＴＡ宛の異なる無線フレームをＦＤＭＡで同時送信する無線通信システムにおいて、ＡＰは、各ＳＴＡにそれぞれ割り当てた周波数リソースの情報を有する制御フレームを生成し、各ＳＴＡが共通に使用するプライマリチャネルでこの制御フレームを送信する制御フレーム送信手段と、各ＳＴＡにそれぞれ割り当てた周波数リソースで各ＳＴＡ宛の無線フレームを同時送信する無線フレーム送信手段とを備え、ＳＴＡは、プライマリチャネルで制御フレームを受信し、この制御フレームにより通知された周波数リソースで自局宛の無線フレームを受信する周波数リソース選択受信手段を備える。
2016143718.tif 000002
【特許請求の範囲】
【請求項１】
無線ＬＡＮ基地局装置（以下、「ＡＰ」という）と複数の無線ＬＡＮ端末装置（以下、「ＳＴＡ」という）が接続され、ＡＰから各ＳＴＡ宛の無線フレームを周波数分割多元接続方式で同時送信する無線通信システムにおいて、
前記ＡＰは、
前記各ＳＴＡにそれぞれ割り当てた周波数リソースの情報を有する制御フレームを生成し、前記各ＳＴＡが共通に使用するプライマリチャネルでこの制御フレームを送信する制御フレーム送信手段と、
前記各ＳＴＡにそれぞれ割り当てた周波数リソースで前記各ＳＴＡ宛の無線フレームを同時送信する無線フレーム送信手段と
を備え、
前記ＳＴＡは、前記プライマリチャネルで前記制御フレームを受信し、この制御フレームにより通知された周波数リソースで自局宛の無線フレームを受信する周波数リソース選択受信手段を備えた
ことを特徴とする無線通信システム。
【請求項２】
無線ＬＡＮ基地局装置（以下、「ＡＰ」という）と複数の無線ＬＡＮ端末装置（以下、「ＳＴＡ」という）が接続され、ＡＰから各ＳＴＡ宛の無線フレームを周波数分割多元接続方式で同時送信する無線通信システムにおいて、
前記ＡＰは、
前記各ＳＴＡが前記無線フレームの高効率プリアンブル部を受信するためのサブチャネルの情報を有する制御フレームを生成し、前記各ＳＴＡが共通に使用するプライマリチャネルで前記制御フレームを送信する制御フレーム送信手段と、
前記各ＳＴＡにそれぞれ割り当てた周波数リソースの情報を前記高効率プリアンブル部に設定し、前記各ＳＴＡにそれぞれ割り当てた周波数リソースで前記各ＳＴＡ宛の無線フレームを同時送信する無線フレーム送信手段と
を備え、
前記ＳＴＡは、前記プライマリチャネルで前記制御フレームを受信し、この制御フレームにより通知された前記サブチャネルに切り替えて前記無線フレームの前記高効率プリアンブル部を復調し、この高効率プリアンブル部により通知された周波数リソースで自局宛の無線フレームを受信する周波数リソース選択受信手段を備えた
ことを特徴とする無線通信システム。
【請求項３】
無線ＬＡＮ基地局装置（以下、「ＡＰ」という）と複数の無線ＬＡＮ端末装置（以下、「ＳＴＡ」という）が接続され、ＡＰから各ＳＴＡ宛の無線フレームを周波数分割多元接続方式で同時送信する無線通信システムにおいて、
前記ＡＰは、
前記各ＳＴＡが共通に使用するプライマリチャネルの無線フレームのＰＨＹプリアンブル部に、規定のサブキャリアとは異なる情報通知用のサブキャリアを付加し、この情報通知用のサブキャリアにより、前記各ＳＴＡが前記無線フレームの高効率プリアンブル部を受信するためのサブチャネルの情報を通知するサブキャリア情報通知手段と、
前記各ＳＴＡにそれぞれ割り当てた周波数リソースの情報を前記高効率プリアンブル部に設定し、前記各ＳＴＡにそれぞれ割り当てた周波数リソースで前記各ＳＴＡ宛の無線フレームを同時送信する無線フレーム送信手段と
を備え、
前記ＳＴＡは、前記プライマリチャネルで前記無線フレームのＰＨＹプリアンブル部の情報通知用のサブキャリアを検出し、この情報通知用のサブキャリアにより通知された前記サブチャネルに切り替えて前記無線フレームの前記高効率プリアンブル部を復調し、この高効率プリアンブル部により通知された周波数リソースで自局宛の無線フレームを受信する周波数リソース選択受信手段を備えた
ことを特徴とする無線通信システム。
【請求項４】
請求項３に記載の無線通信システムにおいて、
前記ＰＨＹプリアンブル部は、従来規格のＬ−ＳＴＦ，Ｌ−ＬＴＦ，Ｌ−ＳＩＧで構成され、そのうちの少なくとも１つのフィールドに前記情報通知用のサブキャリアが付加される
ことを特徴とする無線通信システム。
【請求項５】
請求項２または請求項３に記載の無線通信システムにおいて、
前記無線フレームの前記高効率プリアンブル部は、前記各ＳＴＡが前記無線フレームを復調する帯域の通知に用いる第１の高効率プリアンブルと、周波数多重または空間多重により同時送信される前記各ＳＴＡに割り当てた前記周波数リソースの配置の通知に用いる第２の高効率プリアンブルとを含み、
前記第２の高効率プリアンブルは、前記サブチャネルの帯域幅または前記無線フレームの送信に用いる全帯域幅で送信される
ことを特徴とする無線通信システム。
【請求項６】
無線ＬＡＮ基地局装置（以下、「ＡＰ」という）と複数の無線ＬＡＮ端末装置（以下、「ＳＴＡ」という）が接続され、ＡＰから各ＳＴＡ宛の無線フレームを周波数分割多元接続方式で同時送信する無線通信方法において、
前記ＡＰは、
前記各ＳＴＡにそれぞれ割り当てた周波数リソースの情報を有する制御フレームを生成し、前記各ＳＴＡが共通に使用するプライマリチャネルでこの制御フレームを送信する制御フレーム送信ステップと、
前記各ＳＴＡにそれぞれ割り当てた周波数リソースで前記各ＳＴＡ宛の無線フレームを同時送信する無線フレーム送信ステップと
を有し、
前記ＳＴＡは、前記プライマリチャネルで前記制御フレームを受信し、この制御フレームにより通知された周波数リソースで自局宛の無線フレームを受信する周波数リソース選択受信ステップを有する
ことを特徴とする無線通信方法。
【請求項７】
無線ＬＡＮ基地局装置（以下、「ＡＰ」という）と複数の無線ＬＡＮ端末装置（以下、「ＳＴＡ」という）が接続され、ＡＰから各ＳＴＡ宛の無線フレームを周波数分割多元接続方式で同時送信する無線通信方法において、
前記ＡＰは、
前記各ＳＴＡが前記無線フレームの高効率プリアンブル部を受信するためのサブチャネルの情報を有する制御フレームを生成し、前記各ＳＴＡが共通に使用するプライマリチャネルで前記制御フレームを送信する制御フレーム送信ステップと、
前記各ＳＴＡにそれぞれ割り当てた周波数リソースの情報を前記高効率プリアンブル部に設定し、前記各ＳＴＡにそれぞれ割り当てた周波数リソースで前記各ＳＴＡ宛の無線フレームを同時送信する無線フレーム送信ステップと
を有し、
前記ＳＴＡは、前記プライマリチャネルで前記制御フレームを受信し、この制御フレームにより通知された前記サブチャネルに切り替えて前記無線フレームの前記高効率プリアンブル部を復調し、この高効率プリアンブル部により通知された周波数リソースで自局宛の無線フレームを受信する周波数リソース選択受信ステップを有する
ことを特徴とする無線通信方法。
【請求項８】
無線ＬＡＮ基地局装置（以下、「ＡＰ」という）と複数の無線ＬＡＮ端末装置（以下、「ＳＴＡ」という）が接続され、ＡＰから各ＳＴＡ宛の無線フレームを周波数分割多元接続方式で同時送信する無線通信方法において、
前記ＡＰは、
前記各ＳＴＡが共通に使用するプライマリチャネルの無線フレームのＰＨＹプリアンブル部に、規定のサブキャリアとは異なる情報通知用のサブキャリアを付加し、この情報通知用のサブキャリアにより、前記各ＳＴＡが前記無線フレームの高効率プリアンブル部を受信するためのサブチャネルの情報を通知するサブキャリア情報通知ステップと、
前記各ＳＴＡにそれぞれ割り当てた周波数リソースの情報を前記高効率プリアンブル部に設定し、前記各ＳＴＡにそれぞれ割り当てた周波数リソースで前記各ＳＴＡ宛の無線フレームを同時送信する無線フレーム送信ステップと
を有し、
前記ＳＴＡは、前記プライマリチャネルで前記無線フレームのＰＨＹプリアンブル部の情報通知用のサブキャリアを検出し、この情報通知用のサブキャリアにより通知された前記サブチャネルに切り替えて前記無線フレームの前記高効率プリアンブル部を復調し、この高効率プリアンブル部により通知された周波数リソースで自局宛の無線フレームを受信する周波数リソース選択受信ステップを有する
ことを特徴とする無線通信方法。
【請求項９】
請求項８に記載の無線通信方法において、
前記ＰＨＹプリアンブル部は、従来規格のＬ−ＳＴＦ，Ｌ−ＬＴＦ，Ｌ−ＳＩＧで構成され、そのうちの少なくとも１つのフィールドに前記情報通知用のサブキャリアが付加される
ことを特徴とする無線通信方法。
【請求項１０】
請求項７または請求項８に記載の無線通信方法において、
前記無線フレームの前記高効率プリアンブル部は、前記各ＳＴＡが前記無線フレームを復調する帯域の通知に用いる第１の高効率プリアンブルと、周波数多重または空間多重により同時送信される前記各ＳＴＡに割り当てた前記周波数リソースの配置の通知に用いる第２の高効率プリアンブルとを含み、
前記第２の高効率プリアンブルは、前記サブチャネルの帯域幅または前記無線フレームの送信に用いる全帯域幅で送信される
ことを特徴とする無線通信方法。
【請求項１１】
無線ＬＡＮ基地局装置と複数の無線ＬＡＮ端末装置（以下、「ＳＴＡ」という）が接続され、各ＳＴＡ宛の異なる無線フレームを周波数分割多元接続方式で同時送信する無線通信システムの無線ＬＡＮ基地局装置において、
前記各ＳＴＡにそれぞれ割り当てた周波数リソースの情報を有する制御フレームを生成し、前記各ＳＴＡが共通に使用するプライマリチャネルでこの制御フレームを送信する制御フレーム送信手段と、
前記各ＳＴＡにそれぞれ割り当てた周波数リソースで前記各ＳＴＡ宛の無線フレームを同時送信する無線フレーム送信手段と
を備えたことを特徴とする無線ＬＡＮ基地局装置。
【請求項１２】
無線ＬＡＮ基地局装置と複数の無線ＬＡＮ端末装置（以下、「ＳＴＡ」という）が接続され、各ＳＴＡ宛の異なる無線フレームを周波数分割多元接続方式で送信する無線通信システムの無線ＬＡＮ基地局装置において、
前記各ＳＴＡが前記無線フレームの高効率プリアンブル部を受信するためのサブチャネルの情報を有する制御フレームを生成し、前記各ＳＴＡが共通に使用するプライマリチャネルで前記制御フレームを送信する制御フレーム送信手段と、
前記各ＳＴＡにそれぞれ割り当てた周波数リソースの情報を前記高効率プリアンブル部に設定し、前記各ＳＴＡにそれぞれ割り当てた周波数リソースで前記各ＳＴＡ宛の無線フレームを同時送信する無線フレーム送信手段と
を備えたことを特徴とする無線ＬＡＮ基地局装置。
【請求項１３】
無線ＬＡＮ基地局装置と複数の無線ＬＡＮ端末装置（以下、「ＳＴＡ」という）が接続され、各ＳＴＡ宛の異なる無線フレームを周波数分割多元接続方式で送信する無線通信システムの無線ＬＡＮ基地局装置において、
前記各ＳＴＡが共通に使用するプライマリチャネルの無線フレームのＰＨＹプリアンブル部に、規定のサブキャリアとは異なる情報通知用のサブキャリアを付加し、この情報通知用のサブキャリアにより、前記各ＳＴＡが前記無線フレームの高効率プリアンブル部を受信するためのサブチャネルの情報を通知するサブキャリア情報通知手段と、
前記各ＳＴＡにそれぞれ割り当てた周波数リソースの情報を前記高効率プリアンブル部に設定し、前記各ＳＴＡにそれぞれ割り当てた周波数リソースで前記各ＳＴＡ宛の無線フレームを同時送信する無線フレーム送信手段と
を備えたことを特徴とする無線ＬＡＮ基地局装置。
【請求項１４】
無線ＬＡＮ基地局装置（以下、「ＡＰ」という）と複数の無線ＬＡＮ端末装置が接続され、ＡＰから各無線ＬＡＮ端末装置宛の異なる無線フレームを周波数分割多元接続方式で同時送信する無線通信システムの無線ＬＡＮ端末装置において、
前記各無線ＬＡＮ端末装置が共通に使用するプライマリチャネルで前記ＡＰが送信する制御フレームを受信し、この制御フレームにより通知された周波数リソースで自局宛の無線フレームを受信する周波数リソース選択受信手段を備えた
ことを特徴とする無線ＬＡＮ端末装置。
【請求項１５】
無線ＬＡＮ基地局装置（以下、「ＡＰ」という）と複数の無線ＬＡＮ端末装置が接続され、ＡＰから各無線ＬＡＮ端末装置宛の異なる無線フレームを周波数分割多元接続方式で同時送信する無線通信システムの無線ＬＡＮ端末装置において、
前記各無線ＬＡＮ端末装置が共通に使用するプライマリチャネルで前記ＡＰが送信する制御フレームを受信し、この制御フレームにより通知されたサブチャネルに切り替えて前記無線フレームの高効率プリアンブル部を復調し、この高効率プリアンブル部により通知された周波数リソースで自局宛の無線フレームを受信する周波数リソース選択受信手段を備えた
ことを特徴とする無線ＬＡＮ端末装置。
【請求項１６】
無線ＬＡＮ基地局装置（以下、「ＡＰ」という）と複数の無線ＬＡＮ端末装置が接続され、ＡＰから各無線ＬＡＮ端末装置宛の異なる無線フレームを周波数分割多元接続方式で同時送信する無線通信システムの無線ＬＡＮ端末装置において、
前記各無線ＬＡＮ端末装置が共通に使用するプライマリチャネルで前記ＡＰが送信する前記無線フレームのＰＨＹプリアンブル部の情報通知用のサブキャリアを検出し、この情報通知用のサブキャリアにより通知されたサブチャネルに切り替えて前記無線フレームの高効率プリアンブル部を復調し、この高効率プリアンブル部により通知された周波数リソースで自局宛の無線フレームを受信する周波数リソース選択受信手段を備えた
ことを特徴とする無線ＬＡＮ端末装置。
【発明の詳細な説明】
【技術分野】
【０００１】
本発明は、周波数分割多元接続方式（ＦＤＭＡ：Frequency Division Multiple Access) を利用し、無線ＬＡＮ基地局装置から複数の無線ＬＡＮ端末装置宛の無線フレームを同時に伝送する無線通信システム、無線通信方法、無線ＬＡＮ基地局装置および無線ＬＡＮ端末装置に関する。本明細書では、無線ＬＡＮ端末装置をＳＴＡと略称し、無線ＬＡＮ基地局装置をＡＰと略称する。
【背景技術】
【０００２】
無線ＬＡＮシステムにおけるIEEE802.11ａ規格では、１チャネル当り20ＭHzの周波数帯域を用いて通信を行う。IEEE802.11ｎ以降の規格では、さらに複数のチャネルを束ねて通信を行うチャネルボンディング機能が規定されている。IEEE802.11ｎ規格では、チャネルの利用状況に応じて最大２チャネルを束ねて40ＭHzの周波数帯域を用いて通信を行うことができる。IEEE802.11ac規格では、最大８チャネルを束ねて 160ＭHzの周波数帯域を用いて通信を行うことができる。例えば、図２１に示すようにプライマリチャネルを設定し、その他の束ねて用いるチャネルをセカンダリチャネルとして設定する。ここでは、ＣＨ１をプライマリチャネル、ＣＨ２〜ＣＨ８をセカンダリチャネルとする例を示す。ＡＰおよびＳＴＡにおける送受信の開始は、プライマリチャネル上の信号をキャリアセンスして判断している。セカンダリチャネルが利用可能か否かは、他の無線局によってチャネルが使用中か否かで決定される。【０００３】
また、IEEE802.11ac規格では、ＡＰからＳＴＡへの下り方向の通信を効率化するため、空間分割多元接続方式を適用したＭＵ−ＭＩＭＯ（Multi-user multiple input multiple output ）が採用され、ＡＰから複数のＳＴＡ宛の異なる無線フレームを同時に送信することが可能となった。さらに、非特許文献１，２に示されているように、無線ＬＡＮシステムでは、多数のＳＴＡへのアクセス効率化のために、ＡＰから複数のＳＴＡ宛の異なる無線フレームをＦＤＭＡにより同時送信する技術が検討されている。【０００４】
ただし、IEEE802.11ｎ規格やIEEE802.11ac規格のＳＴＡでは、必ずプライマリチャネルを用いて送受信する必要があるため、ＦＤＭＡによる同時送信は想定されていない。これらのＳＴＡを従来規格ＳＴＡという。一方、ＦＤＭＡによる同時送信が想定されているＳＴＡは、新規規格ＳＴＡという。ここで、図１に示すように、ＡＰに対して従来規格ＳＴＡと、新規規格ＳＴＡ１〜新規規格ＳＴＡ４が接続されるときに、新規規格ＳＴＡどうし、または従来規格ＳＴＡと新規規格ＳＴＡの組合せによりＦＤＭＡにより同時送信を行うことは可能である。ただし、従来規格ＳＴＡが必ずプライマリチャネルを使用するので、新規規格ＳＴＡはプライマリチャネル以外のチャネルを使用することになる。【０００５】
図２２は、ＦＤＭＡによりＡＰから従来規格ＳＴＡと新規規格ＳＴＡへ同時送信を行う例を示す。本例は特許文献１に示されたものである。新規規格ＳＴＡをＮ(New) −ＳＴＡと表記し、従来規格ＳＴＡをＬ(Legacy)−ＳＴＡと表記する。
図２２において、ＡＰに接続されるＳＴＡはそれぞれ次のような規格に対応している。Ｌ−ＳＴＡ１（11ａ）は、IEEE802.11ａ規格に準拠してプライマリチャネルＣＨ１のみをサポートする。Ｌ−ＳＴＡ２（11ｎ）は、IEEE802.11ｎ規格に準拠してプライマリチャネルＣＨ１とセカンダリチャネルＣＨ２をサポートする。Ｌ−ＳＴＡ３（11ac）は、IEEE802.11ac規格に準拠してプライマリチャネルＣＨ１とセカンダリチャネルＣＨ２〜ＣＨ４をサポートする。ただし、これらの規格では必ずプライマリチャネルを使うことになるので、ＦＤＭＡによる同時送信は想定されていない。ただし、IEEE802.11ac規格では、ＭＵ−ＭＩＭＯを利用した同時送信は可能である。一方、Ｎ−ＳＴＡ（11ax）は新規規格であるIEEE802.11axに準拠し、IEEE802.11acの機能に加えてＦＤＭＡによる同時送信も想定されている。【０００６】
以上の構成では、Ｌ−ＳＴＡどうしでＦＤＭＡによる同時送信はできないが、Ｌ−ＳＴＡとＮ−ＳＴＡの組合せであればＦＤＭＡによる同時送信は可能である。ただし、Ｎ−ＳＴＡ宛に送信するときには、プライマリチャネルＣＨ１以外のチャネルを使用することになる。図２２に示す例では、ＡＰでＬ−ＳＴＡ１（11ａ）およびＮ−ＳＴＡ（11ax）宛の送信データが生起し、同時送信を行うための手順を示す。【０００７】
ＡＰは、Ｎ−ＳＴＡ（11ax）宛にすべてのチャネルＣＨ１〜ＣＨ４を用いてＲＴＳフレームを送信する。Ｌ−ＳＴＡ１（11ａ），Ｌ−ＳＴＡ２（11ｎ），Ｌ−ＳＴＡ３（11ac）は、プライマリチャネルＣＨ１で自局宛でないＲＴＳフレームを受信し、プライマリチャネルＣＨ１にＲＴＳフレームに示される期間のＮＡＶを設定する。【０００８】
Ｎ−ＳＴＡ（11ax）は、各チャネルＣＨ１〜ＣＨ４を並行してキャリアセンスおよび復調可能な構成であり、各チャネルのＲＴＳフレームを復調して自局宛のＲＴＳフレームである場合には、当該チャネルＣＨ１〜ＣＨ４の全部または一部を用いてＣＴＳフレームをＡＰに返信する。【０００９】
ＡＰは、Ｎ−ＳＴＡ（11ax）からＣＴＳフレームを受信すると、ＦＤＭＡによりＬ−ＳＴＡ１（11ａ）とＮ−ＳＴＡ（11ax）宛にデータフレームを同時に送信する。このときＡＰは、Ｌ−ＳＴＡ１（11ａ）に対して、プライマリチャネルＣＨ１のみを用いて送信し、Ｎ−ＳＴＡ（11ax）に対して、残りのチャネルＣＨ２〜ＣＨ４のうちここではチャネルＣＨ２をガードバンドとして空け、チャネルＣＨ３，ＣＨ４を用いて送信する。【００１０】
Ｌ−ＳＴＡ１（11ａ）およびＮ−ＳＴＡ（11ax）は、それぞれ自局宛のデータフレームを正しく受信すると、受信したチャネルでブロックＡＣＫ（以下、「ＢＡ」という）を返信する。
【先行技術文献】
【特許文献】
【００１１】
【特許文献１】国際公開第２０１４／０１４０８４号
【非特許文献】
【００１２】
【非特許文献１】“Proposed Specification Framework for TGax,” Robert Stacey et al., doc.:IEEE 802.11-14/1453r2, 5 November 2014
【非特許文献２】“Simultaneous Transmission Technologies for HEW, ” Koichi Ishihara et al., doc.:IEEE 11-13/1395r2, 12 November 2013
【非特許文献３】The LAN/MAN Standards Committee,“IEEE Std 802.11TM-2012 IEEE Standard for Information Technology - Telecommunications and information exchange between systems - Local and metropolitan area networks Specificrequirements Part11:Wireless LAN Medium Access Control (MAC) and Physical Layer (PHY) Specifications”IEEE, 6 February 2012
【発明の概要】
【発明が解決しようとする課題】
【００１３】
無線ＬＡＮシステムにおいて、周波数利用効率を改善するためにＦＤＭＡにより同時送信を行う場合、Ｎ−ＳＴＡどうしだけでなく、図２２に示すようにＬ−ＳＴＡ（11ａ／11ｎ／11ac）とＮ−ＳＴＡ（11ax）との組合せで同時送信を行うことが有効である。このＬ−ＳＴＡとＮ−ＳＴＡに対して同時送信を行う場合、Ｎ−ＳＴＡ宛にはプライマリチャネル以外のチャネルを割り当てることになるが、その割当チャネルをＮ−ＳＴＡに通知する方法が課題となる。【００１４】
特許文献１では、Ｎ−ＳＴＡはプライマリチャネルを含む各チャネルＣＨ１〜ＣＨ４の無線フレームを並行して受信可能な構成を想定しており、事前の通知がなくてもセカンダリチャネルを使用した無線フレームの受信が可能になっている。すなわち、Ｌ−ＳＴＡとＮ−ＳＴＡは、それぞれのチャネルでＦＤＭＡにより同時送信された無線フレームを受信できる構成になっている。【００１５】
しかし、Ｎ−ＳＴＡがＬ−ＳＴＡと同様に、通常はプライマリチャネルの無線フレームを受信する構成の場合には、プライマリチャネルで送信されるＬ−ＳＴＡ用の無線フレームに同時送信で利用される周波数リソースと宛先を示す情報が含まれない。したがって、Ｎ−ＳＴＡは、プライマリチャネルの無線フレームを受信しても、自局で利用する周波数リソースの情報がないため、自局宛の無線フレームを受信することができない。すなわち、Ｎ−ＳＴＡが事前の通知がなければプライマリチャネル以外の無線フレームを受信しない構成の場合には、プライマリチャネル以外の周波数リソースを用いた同時送信ができないことになる。また、Ｎ−ＳＴＡにおいては、20ＭHz帯域単位のセカンダリチャネルに限らず、プライマリチャネル以外の任意の周波数リソースを割り当てて同時送信を行うことも検討されている。【００１６】
本発明は、Ｎ−ＳＴＡがプライマリチャネルの無線フレームから直接または間接に同時送信に用いる周波数リソースの情報を取得可能とし、複数のＮ−ＳＴＡあるいはＬ−ＳＴＡとＮ−ＳＴＡの組合せに対してＦＤＭＡによる同時送信を可能とする無線通信システム、無線通信方法、無線ＬＡＮ基地局装置および無線ＬＡＮ端末装置を提供することを目的とする。
【課題を解決するための手段】
【００１７】
第１の発明は、ＡＰと複数のＳＴＡが接続され、ＡＰから各ＳＴＡ宛の無線フレームを周波数分割多元接続方式で同時送信する無線通信システムにおいて、ＡＰは、各ＳＴＡにそれぞれ割り当てた周波数リソースの情報を有する制御フレームを生成し、各ＳＴＡが共通に使用するプライマリチャネルでこの制御フレームを送信する制御フレーム送信手段と、各ＳＴＡにそれぞれ割り当てた周波数リソースで各ＳＴＡ宛の無線フレームを同時送信する無線フレーム送信手段とを備え、ＳＴＡは、プライマリチャネルで制御フレームを受信し、この制御フレームにより通知された周波数リソースで自局宛の無線フレームを受信する周波数リソース選択受信手段を備える。【００１８】
第２の発明は、ＡＰと複数のＳＴＡが接続され、ＡＰから各ＳＴＡ宛の無線フレームを周波数分割多元接続方式で同時送信する無線通信システムにおいて、ＡＰは、各ＳＴＡが無線フレームの高効率プリアンブル部を受信するためのサブチャネルの情報を有する制御フレームを生成し、各ＳＴＡが共通に使用するプライマリチャネルで制御フレームを送信する制御フレーム送信手段と、各ＳＴＡにそれぞれ割り当てた周波数リソースの情報を高効率プリアンブル部に設定し、各ＳＴＡにそれぞれ割り当てた周波数リソースで各ＳＴＡ宛の無線フレームを同時送信する無線フレーム送信手段とを備え、ＳＴＡは、プライマリチャネルで制御フレームを受信し、この制御フレームにより通知されたサブチャネルに切り替えて無線フレームの高効率プリアンブル部を復調し、この高効率プリアンブル部により通知された周波数リソースで自局宛の無線フレームを受信する周波数リソース選択受信手段を備える。【００１９】
第３の発明は、ＡＰと複数のＳＴＡが接続され、ＡＰから各ＳＴＡ宛の無線フレームを周波数分割多元接続方式で同時送信する無線通信システムにおいて、ＡＰは、各ＳＴＡが共通に使用するプライマリチャネルの無線フレームのＰＨＹプリアンブル部に、規定のサブキャリアとは異なる情報通知用のサブキャリアを付加し、この情報通知用のサブキャリアにより、各ＳＴＡが無線フレームの高効率プリアンブル部を受信するためのサブチャネルの情報を通知するサブキャリア情報通知手段と、各ＳＴＡにそれぞれ割り当てた周波数リソースの情報を高効率プリアンブル部に設定し、各ＳＴＡにそれぞれ割り当てた周波数リソースで各ＳＴＡ宛の無線フレームを同時送信する無線フレーム送信手段とを備え、ＳＴＡは、プライマリチャネルで無線フレームのＰＨＹプリアンブル部の情報通知用のサブキャリアを検出し、この情報通知用のサブキャリアにより通知されたサブチャネルに切り替えて無線フレームの高効率プリアンブル部を復調し、この高効率プリアンブル部により通知された周波数リソースで自局宛の無線フレームを受信する周波数リソース選択受信手段を備える。【００２０】
第３の発明の無線通信システムにおいて、ＰＨＹプリアンブル部は、従来規格のＬ−ＳＴＦ，Ｌ−ＬＴＦ，Ｌ−ＳＩＧで構成され、そのうちの少なくとも１つのフィールドに情報通知用のサブキャリアが付加される。【００２１】
第２または第３の発明の無線通信システムにおいて、無線フレームの高効率プリアンブル部は、各ＳＴＡが無線フレームを復調する帯域の通知に用いる第１の高効率プリアンブルと、周波数多重または空間多重により同時送信される各ＳＴＡに割り当てた周波数リソースの配置の通知に用いる第２の高効率プリアンブルとを含み、第２の高効率プリアンブルは、サブチャネルの帯域幅または無線フレームの送信に用いる全帯域幅で送信される。【００２２】
第４の発明は、ＡＰと複数のＳＴＡが接続され、ＡＰから各ＳＴＡ宛の無線フレームを周波数分割多元接続方式で同時送信する無線通信方法において、ＡＰは、各ＳＴＡにそれぞれ割り当てた周波数リソースの情報を有する制御フレームを生成し、各ＳＴＡが共通に使用するプライマリチャネルでこの制御フレームを送信する制御フレーム送信ステップと、各ＳＴＡにそれぞれ割り当てた周波数リソースで各ＳＴＡ宛の無線フレームを同時送信する無線フレーム送信ステップとを有し、ＳＴＡは、プライマリチャネルで制御フレームを受信し、この制御フレームにより通知された周波数リソースで自局宛の無線フレームを受信する周波数リソース選択受信ステップを有する。【００２３】
第５の発明は、ＡＰと複数のＳＴＡが接続され、ＡＰから各ＳＴＡ宛の無線フレームを周波数分割多元接続方式で同時送信する無線通信方法において、ＡＰは、各ＳＴＡが無線フレームの高効率プリアンブル部を受信するためのサブチャネルの情報を有する制御フレームを生成し、各ＳＴＡが共通に使用するプライマリチャネルで制御フレームを送信する制御フレーム送信ステップと、各ＳＴＡにそれぞれ割り当てた周波数リソースの情報を高効率プリアンブル部に設定し、各ＳＴＡにそれぞれ割り当てた周波数リソースで各ＳＴＡ宛の無線フレームを同時送信する無線フレーム送信ステップとを有し、ＳＴＡは、プライマリチャネルで制御フレームを受信し、この制御フレームにより通知されたサブチャネルに切り替えて無線フレームの高効率プリアンブル部を復調し、この高効率プリアンブル部により通知された周波数リソースで自局宛の無線フレームを受信する周波数リソース選択受信ステップを有する。【００２４】
第６の発明は、ＡＰと複数のＳＴＡが接続され、ＡＰから各ＳＴＡ宛の無線フレームを周波数分割多元接続方式で同時送信する無線通信方法において、ＡＰは、各ＳＴＡが共通に使用するプライマリチャネルの無線フレームのＰＨＹプリアンブル部に、規定のサブキャリアとは異なる情報通知用のサブキャリアを付加し、この情報通知用のサブキャリアにより、各ＳＴＡが無線フレームの高効率プリアンブル部を受信するためのサブチャネルの情報を通知するサブキャリア情報通知ステップと、各ＳＴＡにそれぞれ割り当てた周波数リソースの情報を高効率プリアンブル部に設定し、各ＳＴＡにそれぞれ割り当てた周波数リソースで各ＳＴＡ宛の無線フレームを同時送信する無線フレーム送信ステップとを有し、ＳＴＡは、プライマリチャネルで無線フレームのＰＨＹプリアンブル部の情報通知用のサブキャリアを検出し、この情報通知用のサブキャリアにより通知されたサブチャネルに切り替えて無線フレームの高効率プリアンブル部を復調し、この高効率プリアンブル部により通知された周波数リソースで自局宛の無線フレームを受信する周波数リソース選択受信ステップを有する。【００２５】
第６の発明の無線通信方法において、ＰＨＹプリアンブル部は、従来規格のＬ−ＳＴＦ，Ｌ−ＬＴＦ，Ｌ−ＳＩＧで構成され、そのうちの少なくとも１つのフィールドに情報通知用のサブキャリアが付加される。【００２６】
第５または第６の発明の無線通信方法において、無線フレームの高効率プリアンブル部は、各ＳＴＡが無線フレームを復調する帯域の通知に用いる第１の高効率プリアンブルと、周波数多重または空間多重により同時送信される各ＳＴＡに割り当てた周波数リソースの配置の通知に用いる第２の高効率プリアンブルとを含み、第２の高効率プリアンブルは、サブチャネルの帯域幅または無線フレームの送信に用いる全帯域幅で送信される。【００２７】
第７の発明は、ＡＰと複数のＳＴＡが接続され、ＡＰから各ＳＴＡ宛の無線フレームを周波数分割多元接続方式で同時送信する無線通信システムのＡＰにおいて、各ＳＴＡにそれぞれ割り当てた周波数リソースの情報を有する制御フレームを生成し、各ＳＴＡが共通に使用するプライマリチャネルでこの制御フレームを送信する制御フレーム送信手段と、各ＳＴＡにそれぞれ割り当てた周波数リソースで各ＳＴＡ宛の無線フレームを同時送信する無線フレーム送信手段とを備える。【００２８】
第８の発明は、ＡＰと複数のＳＴＡが接続され、ＡＰから各ＳＴＡ宛の無線フレームを周波数分割多元接続方式で同時送信する無線通信システムのＡＰにおいて、各ＳＴＡが無線フレームの高効率プリアンブル部を受信するためのサブチャネルの情報を有する制御フレームを生成し、各ＳＴＡが共通に使用するプライマリチャネルで制御フレームを送信する制御フレーム送信手段と、各ＳＴＡにそれぞれ割り当てた周波数リソースの情報を高効率プリアンブル部に設定し、各ＳＴＡにそれぞれ割り当てた周波数リソースで各ＳＴＡ宛の無線フレームを同時送信する無線フレーム送信手段とを備える。【００２９】
第９の発明は、ＡＰと複数のＳＴＡが接続され、ＡＰから各ＳＴＡ宛の無線フレームを周波数分割多元接続方式で同時送信する無線通信システムのＡＰにおいて、各ＳＴＡが共通に使用するプライマリチャネルの無線フレームのＰＨＹプリアンブル部に、規定のサブキャリアとは異なる情報通知用のサブキャリアを付加し、この情報通知用のサブキャリアにより、各ＳＴＡが無線フレームの高効率プリアンブル部を受信するためのサブチャネルの情報を通知するサブキャリア情報通知手段と、各ＳＴＡにそれぞれ割り当てた周波数リソースの情報を高効率プリアンブル部に設定し、各ＳＴＡにそれぞれ割り当てた周波数リソースで各ＳＴＡ宛の無線フレームを同時送信する無線フレーム送信手段とを備える。【００３０】
第１０の発明は、ＡＰと複数のＳＴＡが接続され、ＡＰから各ＳＴＡ宛の無線フレームを周波数分割多元接続方式で同時送信する無線通信システムのＳＴＡにおいて、各無線ＬＡＮ端末装置が共通に使用するプライマリチャネルでＡＰが送信する制御フレームを受信し、この制御フレームにより通知された周波数リソースで自局宛の無線フレームを受信する周波数リソース選択受信手段を備える。【００３１】
第１１の発明は、ＡＰと複数のＳＴＡが接続され、ＡＰから各ＳＴＡ宛の無線フレームを周波数分割多元接続方式で同時送信する無線通信システムのＳＴＡにおいて、各無線ＬＡＮ端末装置が共通に使用するプライマリチャネルでＡＰが送信する制御フレームを受信し、この制御フレームにより通知されたサブチャネルに切り替えて無線フレームの高効率プリアンブル部を復調し、この高効率プリアンブル部により通知された周波数リソースで自局宛の無線フレームを受信する周波数リソース選択受信手段を備える。【００３２】
第１２の発明は、ＡＰと複数のＳＴＡが接続され、ＡＰから各ＳＴＡ宛の無線フレームを周波数分割多元接続方式で同時送信する無線通信システムのＳＴＡにおいて、各無線ＬＡＮ端末装置が共通に使用するプライマリチャネルでＡＰが送信する無線フレームのＰＨＹプリアンブル部の情報通知用のサブキャリアを検出し、この情報通知用のサブキャリアにより通知されたサブチャネルに切り替えて無線フレームの高効率プリアンブル部を復調し、この高効率プリアンブル部により通知された周波数リソースで自局宛の無線フレームを受信する周波数リソース選択受信手段を備える。
【発明の効果】
【００３３】
本発明は、ＡＰにおいて、複数のＳＴＡ宛にＦＤＭＡにより同時送信する無線フレームの周波数リソースを設定し、プライマリチャネルの制御フレームを用いて該周波数リソースを各ＳＴＡに通知する。各ＳＴＡでは、プライマリチャネルの制御フレームにより通知された周波数リソースにより自局宛の無線フレームを受信することができる。【００３４】
本発明は、ＡＰにおいて、複数のＳＴＡ宛にＦＤＭＡにより同時送信する無線フレームの周波数リソースを設定し、プライマリチャネルの制御フレームを用いて該周波数リソースの情報を通知する高効率プリアンブル部を受信するためのサブチャネルの情報を各ＳＴＡに通知する。各ＳＴＡでは、プライマリチャネルの制御フレームにより通知されたサブチャネルで高効率プリアンブル部を復調し、得られた周波数リソースにより自局宛の無線フレームを受信することができる。【００３５】
本発明は、ＡＰにおいて、複数のＳＴＡ宛にＦＤＭＡにより同時送信する無線フレームの周波数リソースを設定し、プライマリチャネルの無線フレームのＰＨＹプリアンブル部に新設した情報通知用のサブキャリアを用いて、該周波数リソースの情報を通知する高効率プリアンブル部を受信するためのサブチャネルの情報を各ＳＴＡに通知する。各ＳＴＡでは、プライマリチャネルの情報通知用のサブキャリアにより通知されたサブチャネルで高効率プリアンブル部を復調し、得られた周波数リソースにより自局宛の無線フレームを受信することができる。【００３６】
これにより、各ＳＴＡでは、プライマリチャネルの制御フレームまたは無線フレームのＰＨＹプリアンブル部の情報通知用のサブキャリアを監視することにより、自局宛のデータフレームを受信する周波数リソースが判明し、プライマリチャネルから該周波数リソースが示すチャネルに切り替えることにより自局宛の無線フレームを受信することができる。
【図面の簡単な説明】
【００３７】
【図１】本発明の無線通信システムの構成例を示す図である。
【図２】新規規格ＳＴＡの構成例を示す図である。
【図３】本発明の無線通信システムにおける同時送信制御の実施例１−１を示す図である。
【図４】本発明の無線通信システムにおける同時送信制御の実施例１−２を示す図である。
【図５】本発明の無線通信システムにおける同時送信制御の実施例１−３を示す図である。
【図６】本発明の無線通信システムにおける同時送信制御の実施例１−４を示す図である。
【図７】本発明の無線通信システムにおける同時送信制御の実施例１−５を示す図である。
【図８】マルチチャネル通知フレーム（ＭＣ）のフレームフォーマット例を示す図である。
【図９】本発明の無線通信システムにおける同時送信制御の実施例２−１を示す図である。
【図１０】実施例２におけるＬ−ＬＴＦのサブキャリア配置例を示す図である。
【図１１】本発明の無線通信システムにおける同時送信制御の実施例２−２を示す図である。
【図１２】本発明の無線通信システムにおける同時送信制御の実施例２−３を示す図である。
【図１３】本発明の無線通信システムにおける同時送信制御の実施例２−４を示す図である。
【図１４】本発明の無線通信システムにおける同時送信制御の実施例２−５を示す図である。
【図１５】本発明の無線通信システムにおける同時送信制御の実施例２−６を示す図である。
【図１６】本発明の無線通信システムにおける同時送信制御の実施例２−７を示す図である。
【図１７】本発明の無線通信システムにおけるＢＡ送信手順例１を示す図である。
【図１８】本発明の無線通信システムにおけるＢＡ送信手順例２を示す図である。
【図１９】本発明の無線通信システムにおけるＢＡ送信手順例３を示す図である。
【図２０】本発明の無線通信システムにおけるＢＡ送信手順例４を示す図である。
【図２１】プライマリチャネルとセカンダリチャネルの一例を示す図である。
【図２２】ＦＤＭＡによりＡＰから複数のＳＴＡへ同時送信を行う例を示す図である。
【発明を実施するための形態】
【００３８】
図１は、本発明の無線通信システムの構成例を示す。
図１において、ＡＰに対して、従来規格である例えばIEEE802.11ａ，11ｎ，11acの従来規格ＳＴＡと、新規規格であるIEEE802.11axの新規規格ＳＴＡ１〜新規規格ＳＴＡ４が接続される。以下に示す実施例の説明では、新規規格ＳＴＡどうし、または従来規格ＳＴＡと新規規格ＳＴＡの組合せに対して、ＡＰからＦＤＭＡにより同時送信を行うことを想定する。
【００３９】
図２は、新規規格ＳＴＡの構成例を示す。
図２において、新規規格ＳＴＡは、無線フレームの送受信を行う無線通信部１１、同時送信される無線フレームの受信処理を含む無線フレームの送受信制御全般の制御を行う制御部１２、各制御に必要な情報を管理する情報管理部１３、チャネル切り替え部１４により構成される。チャネル切り替え部１４は、従来規格ＳＴＡと共通の無線フレームを受信するプライマリチャネルと、同時送信された無線フレームを受信するチャネル、あるいは後述する高効率プリアンブル部を受信するサブチャネルを介して同時送信された無線フレームを受信するチャネルとの切り替えを行う。
【００４０】
（実施例１）
図３は、本発明の無線通信システムにおける同時送信制御の実施例１−１を示す。新規規格ＳＴＡをＮ−ＳＴＡと表記し、従来規格ＳＴＡをＬ−ＳＴＡと表記する。
図３において、ＡＰは、従来規格IEEE802.11ａ，11ｎ，11acのＬ−ＳＴＡと、新規規格IEEE802.11axのＮ−ＳＴＡ１およびＮ−ＳＴＡ２を宛先として、ＦＤＭＡにより同時送信する場合を想定する。ＡＰは、ＦＤＭＡによりデータフレームを同時送信する前に、Ｌ−ＳＴＡおよびＮ−ＳＴＡ共通のプライマリチャネルを用いて、Ｎ−ＳＴＡ１およびＮ−ＳＴＡ２で復調可能なフレームフォーマットのマルチチャネル通知フレーム（以下、「ＭＣ」という）を送信する。
【００４１】
ＡＰは、Ｎ−ＳＴＡ１およびＮ−ＳＴＡ２に対して、ＭＣにより以後に続くデータフレームを受信する周波数リソースを通知する。例えば、Ｌ−ＳＴＡではデータフレームの送信にプライマリチャネルを必ず用いるので、Ｎ−ＳＴＡ１，Ｎ−ＳＴＡ２がＭＣにより通知される周波数リソースは、プライマリチャネルおよびＬ−ＳＴＡで用いるセカンダリチャネル以外の帯域となる。なお、Ｎ−ＳＴＡ１，Ｎ−ＳＴＡ２のデータフレームの送信に用いる周波数リソースは、20ＭHz単位のサブチャネルを組み合わせた20，40，80，160 ＭHzのチャネルを指定するものであってもよいし、必ずしも20ＭHz単位でなくてもよい。Ｎ−ＳＴＡ１，Ｎ−ＳＴＡ２のデータフレームのフレームフォーマットの詳細については後述の実施例２において説明する。
【００４２】
また、プライマリチャネルを用いて送信されるＭＣは、Ｌ−ＳＴＡが受信可能なものであってもよい。Ｌ−ＳＴＡにとってＮ−ＳＴＡ１，Ｎ−ＳＴＡ２が使用する周波数リソースは不要であるが、例えばデュレーションフィールドの情報が復調可能であれば、そこに設定される同時送信に要する期間を送信禁止期間ＮＡＶとして設定してもよい。
【００４３】
また、プライマリチャネルを用いて送信されるＭＣは、図４に示すように、セカンダリチャネル上に Duplicateして（並べて）送信し、広帯域な無線フレームとしてチャネル割り込みを防ぐようにしてもよい。ただし、Ｎ−ＳＴＡ１，Ｎ−ＳＴＡ２はセカンダリチャネル上のＭＣを復調しない。
【００４４】
また、図３，図４に示すように、プライマリチャネルに隣接するチャネルをガードバンドとして空けてもよい。なお、ガードバンドは、周波数多重で伝送されるフレーム間の干渉を回避する帯域であり、干渉量が及ぼすフレームエラー発生率に応じてバンド幅を変更してもよい。また、ガードバンドは全フレーム時間長に渡って確保してもよいが、データ部以外は必須ではなく、例えばＰＨＹプリアンブル部には設けなくてもよい。これにより、Ｌ−ＳＴＡおよびＮ−ＳＴＡが狭帯域なフィルタ特性でプライマリチャネルのＭＣおよびデータフレームを受信する場合に、隣接チャネルからの回り込み干渉の影響を抑えることができる。
【００４５】
また、ＡＰからＮ−ＳＴＡ１，Ｎ−ＳＴＡ２に対して、ＭＣにより同時送信に用いる周波数リソースの情報を通知した後に、図５に示すように、隠れ端末対策としてプライマリチャネルを用いてＲＴＳ／ＣＴＳフレームの交換を行ってもよい。例えば、ＭＣで示されたチャネル情報により同時伝送が行われまでのタイムアウト時間として、ＲＴＳ／ＣＴＳフレーム交換時間を含めた時間を設定することにより、ＭＣ送信後にすぐに送信されるデータフレームがなくても、チャネル配置の通知を行うことができる。
【００４６】
Ｌ−ＳＴＡ，Ｎ−ＳＴＡ１，Ｎ−ＳＴＡ２は、それぞれ割り当てられたサブチャネルで自局宛のデータフレームを正しく受信すると、Ｌ−ＳＴＡは受信したプライマリチャネルでＢＡを返信する。Ｎ−ＳＴＡが返信するＢＡについては、図１７〜図２０を参照して別途説明する。
【００４７】
図５では、ＡＰがＮ−ＳＴＡ１，Ｎ−ＳＴＡ２が使用する周波数リソースの情報を通知するＭＣに続いて、ＲＴＳ／ＣＴＳフレームを交換する例を示した。ここで、ＭＣおよびＲＴＳ／ＣＴＳフレームに代えて、ＭＣの機能をもつＭＵ−ＲＴＳフレームおよびＣＴＳフレームの交換について、図６および図７を参照して説明する。
【００４８】
図６において、ＡＰは、ＦＤＭＡによりデータフレームを同時送信する前に、Ｌ−ＳＴＡおよびＮ−ＳＴＡ共通のプライマリチャネルを用いて、ＭＵ−ＲＴＳフレームを送信する。ＭＵ−ＲＴＳフレームは、Ｌ−ＳＴＡ，Ｎ−ＳＴＡ１，Ｎ−ＳＴＡ２に対して、プライマリチャネルを用いて各Ｎ−ＳＴＡが使用する周波数リソースの情報を通知するとともに、ＲＴＳフレームの機能を有する。
【００４９】
Ｌ−ＳＴＡは、ＭＵ−ＲＴＳフレームを認識できないので無視する。Ｎ−ＳＴＡ１およびＮ−ＳＴＡ２は、プライマリチャネルおよびそれぞれ通知されたサブチャネルでＣＴＳフレームを送信する。すなわち、ＣＴＳフレームは、Ｌ−ＳＴＡ，Ｎ−ＳＴＡ１およびＮ−ＳＴＡ２で使用予定の全サブチャネルで送信される。Ｌ−ＳＴＡ，Ｎ−ＳＴＡ１，Ｎ−ＳＴＡ２は、それぞれ割り当てられたサブチャネルで自局宛のデータフレームを正しく受信すると、Ｌ−ＳＴＡは受信したプライマリチャネルでＢＡを返信する。Ｎ−ＳＴＡが返信するＢＡについては、図１７〜図２０を参照して別途説明する。
【００５０】
また、プライマリチャネルを用いて送信されるＭＵ−ＲＴＳフレームは、図４に示すように、セカンダリチャネル上に並べて Duplicateして（並べて）送信し、広帯域な無線フレームとしてチャネル割り込みを防ぐようにしてもよい。
また、Ｎ−ＳＴＡ１およびＮ−ＳＴＡ２は、図７に示すように、それぞれＭＵ−ＲＴＳフレームでＡＰから通知されたサブチャネルでＣＴＳフレームを送信してもよい。
【００５１】
図８は、マルチチャネル通知フレーム（ＭＣ）のフレームフォーマット例を示す。なお、ＭＵ−ＲＴＳフレームについても同様であり、例えば新規規格IEEE802.11axとして提案されているトリガフレームフォーマットを使用できる。
図８において、ＭＣは、Ｎ−ＳＴＡで復調可能なフレームフォーマットであればよく、通常のＭＡＣフレームと同様のフレーム制御フィールド、デュレーションフィールド、ＲＡ（宛先アドレス）フィールド、ＴＡ（送信元アドレス）フィールド、フレームボディフィールド、ＦＣＳフィールドから構成される。
【００５２】
フレームボディフィールドには、ＦＤＭＡにより同時送信するＮ−ＳＴＡと周波数リソースが対応付けて格納される。
フレーム制御フィールド内で、本フレームのタイプ・サブタイプを予め示しておく場合には、ＲＡを送信元であるＡＰのアドレスに設定し、ＴＡを省略してもよい。
【００５３】
ＲＡにブロードキャスト用のビット列を設定すれば、ＦＤＭＡにより同時送信する複数のＮ−ＳＴＡに対応する周波数リソースを一括通知できる。また、ＲＡにＦＤＭＡにより同時送信する複数のＮ−ＳＴＡのＭＡＣアドレスまたはＡＩＤ（Association ID) を設定すれば、フレームボディフィールドの周波数リソース情報と併せて各Ｎ−ＳＴＡに対応する周波数リソース情報を通知できる。また、ＲＡにＦＤＭＡにより同時送信する複数のＮ−ＳＴＡ群を示すグループＩＤ（ＧＩＤ）を設定しても同様に、各Ｎ−ＳＴＡに対応する周波数リソース情報を通知できる。
【００５４】
図３〜図５において、同時送信される各データフレームのフレーム時間長は、チャネル割り込みなどの影響がでないように揃えることが望ましい。フレーム時間長を揃えるためには、プライマリチャネルのデータフレームの時間長を最大長として揃える方法、フレーム時間長が最大となるデータフレームに揃える方法、全データフレームを調整して統一可能な最短フレーム時間長に揃える方法がある。フレーム時間長を調整するには、パディング、変調方式の変更などにより対応可能である。
【００５５】
（実施例２）
図９は、本発明の無線通信システムにおける同時送信制御の実施例２−１を示す。
ここでは、ＡＰからＬ−ＳＴＡと複数のＮ−ＳＴＡに対して、ＦＤＭＡにより同時送信される無線フレーム５０，５１のフレームフォーマットを示す。
【００５６】
図９において、無線フレーム５０は、20ＭHz帯域幅のプライマリチャネルを用いてＬ−ＳＴＡ宛に送信されるフレームである。無線フレーム５１は、Ｌ−ＳＴＡに割り当てたチャネル以外の周波数リソースを用いて複数のＮ−ＳＴＡ宛に送信されるフレームである。ここでは、20ＭHz帯域幅のサブチャネルが４本分の80ＭHz帯域幅のチャネルで送信されるＮ−ＳＴＡ用のフレームフォーマットを示す。
【００５７】
Ｌ−ＳＴＡ用の無線フレーム５０のＰＨＹプリアンブル部のＬ−ＳＴＦ，Ｌ−ＬＴＦ，Ｌ−ＳＩＧは、IEEE802.11ａ規格で定義されたＬ−ＳＴＡおよびＮ−ＳＴＡに共通のものであり、Ｌ−ＳＴＡおよびＮ−ＳＴＡにおいて復調可能である。一方、Ｎ−ＳＴＡ用の無線フレーム５１のＰＨＹプリアンブル部のＬ−ＳＴＦ，Ｌ−ＬＴＦ，Ｌ−ＳＩＧは、Ｌ−ＳＴＡ用の無線フレーム５０のＰＨＹプリアンブル部と同じものであり、20ＭHz帯域幅のサブチャネルで送信されるが、この時点でプライマリチャネルに合わせているＮ−ＳＴＡでは復調しない。
【００５８】
実施例２の特徴は、プライマリチャネルの無線フレーム５０のＰＨＹプリアンブル部を構成するＬ−ＳＴＦ，Ｌ−ＬＴＦ，Ｌ−ＳＩＧの一部に情報通知用のサブキャリアを新設する。図９ではＬ−ＬＴＦに情報通知用のサブキャリアを新設する例を示す。無線フレーム５０は、この情報通知用のサブキャリアを用いて、Ｎ−ＳＴＡ用に割り当てたチャネル情報の通知に用いるサブチャネル（以下、「一時的なプライマリチャネル」という）を通知する。情報通知用のサブキャリアとして、Ｌ−ＬＴＦの通常のサブキャリア配置の外側に２本ずつ配置する例を図１０に示す。細線矢印は、既存のデータ・サブキャリアであり合計48本ある。点線矢印は、パイロット・サブキャリアであり合計４本ある。太線矢印は、情報通知用のサブキャリアであり合計４本ある。
【００５９】
なお、非特許文献３に記載のように、ＰＨＹプリアンブル部のＬ−ＬＴＦでは既知信号を用いて周波数オフセット推定を行うが、本発明ではこの周波数オフセット推定と同時に、Ｎ−ＳＴＡで受信するチャネル情報が通知される一時的なプライマリチャネルを読み取る。Ｌ−ＳＴＡの規格では、このＬ−ＬＴＦに新設された情報通知用のサブキャリアは用意されていないので、当該サブキャリアの存在を確認したＮ−ＳＴＡは、プライマリチャネル上のＬ−ＳＩＧの受信および復調を行わず、その期間に当該サブキャリアで通知された一時的なプライマリチャネルへのチャネル切り替えを行ってもよい。
【００６０】
Ｎ−ＳＴＡは、プライマリチャネルの無線フレーム５０のＰＨＹプリアンブル部を構成するＬ−ＬＴＦから情報通知用のサブキャリアを読み取り、受信するチャネルをプライマリチャネルから一時的なプライマリチャネルに切り替える。そして、Ｎ−ＳＴＡ用の無線フレーム５１の一時的なプライマリチャネルにあり、Ｎ−ＳＴＡ用の高効率プリアンブル部のうち、ここでは高機能ＳＩＧ−Ａで通知されるチャネル情報を読み取り、Ｎ−ＳＴＡ宛の無線フレームを受信するチャネルに切り替えて送信データを受信処理する。
【００６１】
以下、図９に基づいてＮ−ＳＴＡ用の無線フレーム５１のフレームフォーマットについて説明する。無線フレーム５１のＰＨＹプリアンブル部であるＬ−ＳＴＦ，Ｌ−ＬＴＦ，Ｌ−ＳＩＧ以降には、Ｎ−ＳＴＡ用の高効率プリアンブル部が続く。Ｎ−ＳＴＡ用の高効率プリアンブル部は、高効率ＳＩＧ−Ａ、高効率ＳＩＧ−Ｂ、高効率ＳＴＦ、高効率ＬＴＦから構成される。
【００６２】
高効率ＳＩＧ−Ａは、複数のＮ−ＳＴＡに同時送信する場合と、単体のＮ−ＳＴＡに送信する場合のいずれにも共通したフレーム情報を含むフィールドである。高効率ＳＩＧ−Ａは、20ＭHz帯域幅のサブチャネルごとに帯域幅全体にduplicate して配置される。高効率ＳＩＧ−Ａに含まれるフレーム情報は、例えばＮ−ＳＴＡ用フレームのチャネル帯域幅などである。無線フレームを復調するＮ−ＳＴＡは、情報通知用のサブキャリアが示すサブチャネルである一時的なプライマリチャネル上の高効率ＳＩＧ−Ａを参照することで、自局が復調すべき帯域を知ることができる。さらに、高効率ＳＩＧ−Ａには、その後に高効率ＳＩＧ−Ｂが続く場合に、高効率ＳＩＧ−ＢのＭＣＳ情報やＯＦＤＭシンボル数なども含まれる。
【００６３】
高効率ＳＩＧ−Ａに続く高効率ＳＩＧ−Ｂには、周波数多重や空間多重により複数のＮ−ＳＴＡに同時送信を行う際のリソース配置が示されている。復調するＮ−ＳＴＡは、当該フィールド内で示される端末アドレスまたはＡＩＤまたはＧＩＤ（Group ID）を参照し、自局で復調すべきデータ信号の周波数リソースの配置を知ることができる。高効率ＳＩＧ−Ｂは、先の高効率ＳＩＧ−Ａで示された帯域幅を全て使い送信される。ここでは、80ＭHz帯域幅全体で１つのフィールドとなるように変調されている。
【００６４】
さらに、高効率ＳＩＧ−Ｂに続き、Ｎ−ＳＴＡ用フレームのトレーニング信号である高効率ＳＴＦおよび高効率ＬＴＦのフィールドとなる。トレーニング信号に続き、複数のＮ−ＳＴＡ宛の無線フレームとなる。なお、これらの各フィールドは伝搬路の状況などから遅延耐性を高めるために、あるいは空間多重伝送のトレーニングのために必要に応じて同じものが複数時間軸上で繰り返されてもよい。
【００６５】
図１１は、本発明の無線通信システムにおける同時送信制御の実施例２−２を示す。
実施例２−１の高効率ＳＩＧ−Ｂは、80ＭHz帯域幅全体を使って１つのフィールドで送信されたが、実施例２−２の場合は20ＭHz帯域幅ごとにフィールドが並んでおり、高効率ＳＩＧ−Ｂ１〜高効率ＳＩＧ−Ｂ４となっている。これらは、各々同じフォーマットで同じシンボル長を持っているがそれぞれの内容が異なる。
【００６６】
図１２および図１３は、本発明の無線通信システムにおける同時送信制御の実施例２−３および実施例２−４を示す。
実施例２−３および実施例２−４は、図９に示す実施例２−１および図１１に示す実施例２−２において、高効率ＳＴＦおよび高効率ＬＴＦの後に、さらに周波数多重や空間多重伝送に関する情報が含まれている高効率ＳＩＧ−Ｃが含まれるフレームフォーマットの例である。なお、これらの各フィールドは伝搬路の状況などから遅延耐性を高めるために、あるいは空間多重伝送のトレーニングのために必要に応じて同じものが複数時間軸上で繰り返されてもよい。
【００６７】
図１４は、本発明の無線通信システムにおける同時送信制御の実施例２−５を示す。
実施例２−５は、Ｎ−ＳＴＡ用フレームフォーマットを利用して単体のＮ−ＳＴＡ宛に送信を行う場合のフレームフォーマット例を示す。複数のＮ−ＳＴＡに対して同時送信するための情報を含む高効率ＳＩＧ−Ｂを含まず、共通情報を含む高効率ＳＩＧ−Ａの後に高効率ＳＴＦおよび高効率ＬＴＦが続く。なお、これらの各フィールドは伝搬路の状況などから遅延耐性を高めるために、あるいは空間多重伝送のトレーニングのために必要に応じて同じものが複数時間軸上で繰り返されてもよい。
【００６８】
以上示した実施例２−１〜２−５において、図１５に示すように、プライマリチャネルに隣接するチャネルをガードバンドとして空けてもよい。ただし、データ部以外のガードバンドは必須ではない。例えば図１６に示すように、プリアンブル部にはガードバンドを空けず、Ｎ−ＳＴＡ宛無線フレームの部分のみにガードバンドを空けてもよい。あるいは、Ｎ−ＳＴＡ用プリアンブル部とＮ−ＳＴＡ宛無線フレームの部分にガードバンドを空けてもよい。
【００６９】
ところで、実施例１では、ＭＣにより複数のＮ−ＳＴＡ宛のフレームを受信する周波数リソースを通知する例を示したが、ＭＣでは各Ｎ−ＳＴＡに割り当てた周波数リソース情報を通知するために、実施例２で説明したＮ−ＳＴＡ用の高効率プリアンブル部を受信するための一時的なプライマリチャネルを指定してもよい。この場合、各Ｎ−ＳＴＡは、プライマリチャネルのＭＣから一時的なプライマリチャネルを読み取り、その一時的なプライマリチャネルに切り替える。そして、実施例２と同様に一時的なプライマリチャネルのＮ−ＳＴＡ用の高効率プリアンブル部からＮ−ＳＴＡで受信するチャネル情報を読み取り、各Ｎ−ＳＴＡ宛の無線フレームを受信するチャネルに切り替えて受信処理を実施する。
【００７０】
図１７は、本発明の無線通信システムにおけるＢＡ送信手順例１を示す。
図１７において、ＡＰは、実施例２で説明したように、Ｎ−ＳＴＡおよびＬ−ＳＴＡにそれぞれ割り当てたチャネルでデータフレームを送信する。ただし、Ｎ−ＳＴＡに割り当てるチャネルは、当該フレームの一時的なプライマリチャネルのＮ−ＳＴＡ用の高機能プリアンブル部のうち、例えば高機能ＳＩＧ−Ａにおいて通知され、Ｎ−ＳＴＡは当該高機能ＳＩＧ−Ａを読み取って受信チャネルを切り替えて受信する。Ｎ−ＳＴＡおよびＬ−ＳＴＡは、データフレームを受信完了後に、データフレームを受信したチャネルでＳＩＦＳ時間経過後にＢＡを返信する。
【００７１】
図１８は、本発明の無線通信システムにおけるＢＡ送信手順例２を示す。
図１８において、ＡＰは、Ｎ−ＳＴＡおよびＬ−ＳＴＡにそれぞれ割り当てたチャネルでデータフレームを送信し、Ｌ−ＳＴＡからデータフレームを送信したチャネルで返信されたＢＡを受信する。次にＡＰは、Ｎ−ＳＴＡに対してそれぞれデータフレームの送信に用いたチャネルでブロックＡＣＫリクエスト（以下、「ＢＡＲ」という）を送信する。ＢＡＲを受信したＮ−ＳＴＡは、それぞれ受信した同じチャネルでＢＡを返信する。
【００７２】
このとき、他のチャネル割り込みを防ぐために、Ｎ−ＳＴＡ宛に使用されなかったチャネルおよびガードバンドでも、Ｎ−ＳＴＡ宛のＢＡＲを送信してもよい。ＢＡについても同様であり、Ｎ−ＳＴＡは自局宛のデータフレームおよびＢＡＲを受信したチャネルでＢＡを返信するときに、Ｎ−ＳＴＡ宛に使用されなかったチャネルおよびガードバンドでもＢＡを送信してもよい。ただし、ガードバンドは空けたまま残してもよい。
【００７３】
また、Ｎ−ＳＴＡ数が多く、ＡＰが20ＭHz単位より小さい周波数帯域でＦＤＭＡまたはＦＤＭＡとＭＵ−ＭＩＭＯを利用して送信する場合には、ＢＡＲ／ＢＡの交換を複数回繰り返すようにしてもよい。
【００７４】
図１９は、本発明の無線通信システムにおけるＢＡ送信手順例３を示す。
図１９において、ＡＰは、Ｎ−ＳＴＡおよびＬ−ＳＴＡにそれぞれ割り当てたチャネルでデータフレームを送信し、Ｌ−ＳＴＡからデータフレームを送信したチャネル（例えばプライマリチャネル）で返信されたＢＡを受信する。次にＡＰは、Ｎ−ＳＴＡに対して全チャネルをカバーする広帯域のマルチユーザＢＡＲ（以下、「ＭＵ−ＢＡＲ」という）を送信する。ＭＵ−ＢＡＲには、ＡＰに対してＢＡの送信を要求するＮ−ＳＴＡのアドレス、各Ｎ−ＳＴＡに割り当てるＢＡ送信用の周波数リソース情報が記載される。このＢＡ送信用の周波数リソースは、各Ｎ−ＳＴＡがデータフレームを送信したチャネルとは独立に設定可能である。また、ＭＵ−ＢＡＲは、各Ｎ−ＳＴＡが送信するＢＡのタイミング同期をとるトリガフレームの機能も有する。
【００７５】
ＭＵ−ＢＡＲを受信したＮ−ＳＴＡは、自局が宛先として指定されているか否かを確認し、指定されている場合には割り当てられた周波数リソースから自局がＢＡを送信するチャネルを認識する。さらに、ＭＵ−ＢＡＲの信号からタイミングや周波数同期を行い、受信完了からＳＩＦＳ後に指定されたチャネルでＢＡを送信する。
【００７６】
なお、ＢＡは例えば20ＭHz単位のチャネルで送信されてもよいし、さらに他ＳＴＡからの割り込みを防ぐため他のチャネルでも同時に送信されるようにしてもよい。また、必要があれば、各Ｎ−ＳＴＡが送信するＢＡ間にガードバンドを空けてＢＡ相互間の干渉を抑圧してもよい。また、Ｎ−ＳＴＡ数が多く、ＡＰが20ＭHz単位より小さい周波数帯域でＦＤＭＡまたはＦＤＭＡとＭＵ−ＭＩＭＯを利用して送信する場合には、ＭＵ−ＢＡＲ／ＢＡの交換を複数回繰り返すようにしてもよい。
【００７７】
図２０は、本発明の無線通信システムにおけるＢＡ送信手順例４を示す。
図２０において、ＡＰがＭＵ−ＢＡＲをＮ−ＳＴＡ宛に送信するところまでは、図１９に示すＢＡ送信手順例３と同様である。
【００７８】
ＭＵ−ＢＡＲを受信したＮ−ＳＴＡは、自局が宛先として指定されているか否かを確認し、指定されている場合には割り当てられた周波数リソースから自局がＢＡを送信するチャネルを認識する。さらに、ＭＵ−ＢＡＲの信号からタイミングや周波数同期を行い、受信完了からＳＩＦＳ後に指定されたチャネルでマルチユーザＢＡ（以下、「ＭＵ−ＢＡ」という）を送信する。
【００７９】
各Ｎ−ＳＴＡが送信するＭＵ−ＢＡは、実施例２に示すＮ−ＳＴＡ宛フレームフォーマットと同様のフレームフォーマットを用い、共通プリアンブル部であるＬ−ＳＴＦ〜高効率ＳＩＧ−Ａは時間および周波数ともに重畳して送信し、以降は各Ｎ−ＳＴＡに割り当てられた周波数リソースでＢＡ情報が伝送される。
【符号の説明】
【００８０】
ＡＰ    無線ＬＡＮ基地局装置
ＳＴＡ  無線ＬＡＮ端末装置
Ｌ−ＳＴＡ  従来規格端末
Ｎ−ＳＴＡ  新規規格端末
５０  従来規格ＳＴＡ宛フレーム
５１〜５７  新規規格ＳＴＡ宛フレーム
【図１】
2016143718.tif 000003
【図２】
2016143718.tif 000004
【図３】
2016143718.tif 000005
【図４】
2016143718.tif 000006
【図５】
2016143718.tif 000007
【図６】
2016143718.tif 000008
【図７】
2016143718.tif 000009
【図８】
2016143718.tif 000010
【図９】
2016143718.tif 000011
【図１０】
2016143718.tif 000012
【図１１】
2016143718.tif 000013
【図１２】
2016143718.tif 000014
【図１３】
2016143718.tif 000015
【図１４】
2016143718.tif 000016
【図１５】
2016143718.tif 000017
【図１６】
2016143718.tif 000018
【図１７】
2016143718.tif 000019
【図１８】
2016143718.tif 000020
【図１９】
2016143718.tif 000021
【図２０】
2016143718.tif 000022
【図２１】
2016143718.tif 000023
【図２２】
2016143718.tif 000024
【手続補正書】
【提出日】平成29年8月22日(2017.8.22)
【手続補正１】
【補正対象書類名】明細書
【補正対象項目名】００３７
【補正方法】変更
【補正の内容】
【００３７】
【図１】本発明の無線通信システムの構成例を示す図である。
【図２】新規規格ＳＴＡの構成例を示す図である。
【図３】本発明の無線通信システムにおける同時送信制御の実施例１−１を示す図である。
【図４】本発明の無線通信システムにおける同時送信制御の実施例１−２を示す図である。
【図５】本発明の無線通信システムにおける同時送信制御の実施例１−３を示す図である。
【図６】本発明の無線通信システムにおける同時送信制御の実施例１−４を示す図である。
【図７】本発明の無線通信システムにおける同時送信制御の実施例１−５を示す図である。
【図８】マルチチャネル通知フレーム（ＭＣＩ）のフレームフォーマット例を示す図である。
【図９】本発明の無線通信システムにおける同時送信制御の実施例２−１を示す図である。
【図１０】実施例２におけるＬ−ＬＴＦのサブキャリア配置例を示す図である。
【図１１】本発明の無線通信システムにおける同時送信制御の実施例２−２を示す図である。
【図１２】本発明の無線通信システムにおける同時送信制御の実施例２−３を示す図である。
【図１３】本発明の無線通信システムにおける同時送信制御の実施例２−４を示す図である。
【図１４】本発明の無線通信システムにおける同時送信制御の実施例２−５を示す図である。
【図１５】本発明の無線通信システムにおける同時送信制御の実施例２−６を示す図である。
【図１６】本発明の無線通信システムにおける同時送信制御の実施例２−７を示す図である。
【図１７】本発明の無線通信システムにおけるＢＡ送信手順例１を示す図である。
【図１８】本発明の無線通信システムにおけるＢＡ送信手順例２を示す図である。
【図１９】本発明の無線通信システムにおけるＢＡ送信手順例３を示す図である。
【図２０】本発明の無線通信システムにおけるＢＡ送信手順例４を示す図である。
【図２１】プライマリチャネルとセカンダリチャネルの一例を示す図である。
【図２２】ＦＤＭＡによりＡＰから複数のＳＴＡへ同時送信を行う例を示す図である。
【手続補正２】
【補正対象書類名】明細書
【補正対象項目名】００４０
【補正方法】変更
【補正の内容】
【００４０】
（実施例１）
図３は、本発明の無線通信システムにおける同時送信制御の実施例１−１を示す。新規規格ＳＴＡをＮ−ＳＴＡと表記し、従来規格ＳＴＡをＬ−ＳＴＡと表記する。
図３において、ＡＰは、従来規格IEEE802.11ａ，11ｎ，11acのＬ−ＳＴＡと、新規規格IEEE802.11axのＮ−ＳＴＡ１およびＮ−ＳＴＡ２を宛先として、ＦＤＭＡにより同時送信する場合を想定する。ＡＰは、ＦＤＭＡによりデータフレームを同時送信する前に、Ｌ−ＳＴＡおよびＮ−ＳＴＡ共通のプライマリチャネルを用いて、Ｎ−ＳＴＡ１およびＮ−ＳＴＡ２で復調可能なフレームフォーマットのマルチチャネル通知フレーム（以下、「ＭＣＩ」という）を送信する。
【手続補正３】
【補正対象書類名】明細書
【補正対象項目名】００４１
【補正方法】変更
【補正の内容】
【００４１】
ＡＰは、Ｎ−ＳＴＡ１およびＮ−ＳＴＡ２に対して、ＭＣＩにより以後に続くデータフレームを受信する周波数リソースを通知する。例えば、Ｌ−ＳＴＡではデータフレームの送信にプライマリチャネルを必ず用いるので、Ｎ−ＳＴＡ１，Ｎ−ＳＴＡ２がＭＣＩにより通知される周波数リソースは、プライマリチャネルおよびＬ−ＳＴＡで用いるセカンダリチャネル以外の帯域となる。なお、Ｎ−ＳＴＡ１，Ｎ−ＳＴＡ２のデータフレームの送信に用いる周波数リソースは、20ＭHz単位のサブチャネルを組み合わせた20，40，80，160 ＭHzのチャネルを指定するものであってもよいし、必ずしも20ＭHz単位でなくてもよい。Ｎ−ＳＴＡ１，Ｎ−ＳＴＡ２のデータフレームのフレームフォーマットの詳細については後述の実施例２において説明する。
【手続補正４】
【補正対象書類名】明細書
【補正対象項目名】００４２
【補正方法】変更
【補正の内容】
【００４２】
また、プライマリチャネルを用いて送信されるＭＣＩは、Ｌ−ＳＴＡが受信可能なものであってもよい。Ｌ−ＳＴＡにとってＮ−ＳＴＡ１，Ｎ−ＳＴＡ２が使用する周波数リソースは不要であるが、例えばデュレーションフィールドの情報が復調可能であれば、そこに設定される同時送信に要する期間を送信禁止期間ＮＡＶとして設定してもよい。
【手続補正５】
【補正対象書類名】明細書
【補正対象項目名】００４３
【補正方法】変更
【補正の内容】
【００４３】
また、プライマリチャネルを用いて送信されるＭＣＩは、図４に示すように、セカンダリチャネル上に Duplicateして（並べて）送信し、広帯域な無線フレームとしてチャネル割り込みを防ぐようにしてもよい。ただし、Ｎ−ＳＴＡ１，Ｎ−ＳＴＡ２はセカンダリチャネル上のＭＣＩを復調しない。
【手続補正６】
【補正対象書類名】明細書
【補正対象項目名】００４４
【補正方法】変更
【補正の内容】
【００４４】
また、図３，図４に示すように、プライマリチャネルに隣接するチャネルをガードバンドとして空けてもよい。なお、ガードバンドは、周波数多重で伝送されるフレーム間の干渉を回避する帯域であり、干渉量が及ぼすフレームエラー発生率に応じてバンド幅を変更してもよい。また、ガードバンドは全フレーム時間長に渡って確保してもよいが、データ部以外は必須ではなく、例えばＰＨＹプリアンブル部には設けなくてもよい。これにより、Ｌ−ＳＴＡおよびＮ−ＳＴＡが狭帯域なフィルタ特性でプライマリチャネルのＭＣＩおよびデータフレームを受信する場合に、隣接チャネルからの回り込み干渉の影響を抑えることができる。
【手続補正７】
【補正対象書類名】明細書
【補正対象項目名】００４５
【補正方法】変更
【補正の内容】
【００４５】
また、ＡＰからＮ−ＳＴＡ１，Ｎ−ＳＴＡ２に対して、ＭＣＩにより同時送信に用いる周波数リソースの情報を通知した後に、図５に示すように、隠れ端末対策としてプライマリチャネルを用いてＲＴＳ／ＣＴＳフレームの交換を行ってもよい。例えば、ＭＣＩで示されたチャネル情報により同時伝送が行われまでのタイムアウト時間として、ＲＴＳ／ＣＴＳフレーム交換時間を含めた時間を設定することにより、ＭＣＩ送信後にすぐに送信されるデータフレームがなくても、チャネル配置の通知を行うことができる。
【手続補正８】
【補正対象書類名】明細書
【補正対象項目名】００４７
【補正方法】変更
【補正の内容】
【００４７】
図５では、ＡＰがＮ−ＳＴＡ１，Ｎ−ＳＴＡ２が使用する周波数リソースの情報を通知するＭＣＩに続いて、ＲＴＳ／ＣＴＳフレームを交換する例を示した。ここで、ＭＣＩおよびＲＴＳ／ＣＴＳフレームに代えて、ＭＣＩの機能をもつＭＵ−ＲＴＳフレームおよびＣＴＳフレームの交換について、図６および図７を参照して説明する。
【手続補正９】
【補正対象書類名】明細書
【補正対象項目名】００５１
【補正方法】変更
【補正の内容】
【００５１】
図８は、マルチチャネル通知フレーム（ＭＣＩ）のフレームフォーマット例を示す。なお、ＭＵ−ＲＴＳフレームについても同様であり、例えば新規規格IEEE802.11axとして提案されているトリガフレームフォーマットを使用できる。
図８において、ＭＣＩは、Ｎ−ＳＴＡで復調可能なフレームフォーマットであればよく、通常のＭＡＣフレームと同様のフレーム制御フィールド、デュレーションフィールド、ＲＡ（宛先アドレス）フィールド、ＴＡ（送信元アドレス）フィールド、フレームボディフィールド、ＦＣＳフィールドから構成される。
【手続補正１０】
【補正対象書類名】明細書
【補正対象項目名】００６９
【補正方法】変更
【補正の内容】
【００６９】
ところで、実施例１では、ＭＣＩにより複数のＮ−ＳＴＡ宛のフレームを受信する周波数リソースを通知する例を示したが、ＭＣＩでは各Ｎ−ＳＴＡに割り当てた周波数リソース情報を通知するために、実施例２で説明したＮ−ＳＴＡ用の高効率プリアンブル部を受信するための一時的なプライマリチャネルを指定してもよい。この場合、各Ｎ−ＳＴＡは、プライマリチャネルのＭＣＩから一時的なプライマリチャネルを読み取り、その一時的なプライマリチャネルに切り替える。そして、実施例２と同様に一時的なプライマリチャネルのＮ−ＳＴＡ用の高効率プリアンブル部からＮ−ＳＴＡで受信するチャネル情報を読み取り、各Ｎ−ＳＴＡ宛の無線フレームを受信するチャネルに切り替えて受信処理を実施する。
【手続補正１１】
【補正対象書類名】図面
【補正対象項目名】図３
【補正方法】変更
【補正の内容】
【図３】
2016143718.tif 000025
【手続補正１２】
【補正対象書類名】図面
【補正対象項目名】図４
【補正方法】変更
【補正の内容】
【図４】
2016143718.tif 000026
【手続補正１３】
【補正対象書類名】図面
【補正対象項目名】図５
【補正方法】変更
【補正の内容】
【図５】
2016143718.tif 000027
【国際調査報告】
2016143718.tif 000028
2016143718.tif 000029
2016143718.tif 000030